(57)【要約】【課題】帯状の見出し用紙をスムースに差し込むことができる見出し収納構造及び当該構造を備えたキー管理ケースを提供すること。【解決手段】略同一平面内に設けられた断続的な支持面３０と、これら支持面３０間の穴３１の上部に設けられた仕切部３２により見出し表示部２６が形成されている。帯状の見出し用紙Ｐは、各支持面３０を跨ぐように差し込み可能に設けられている。支持面３０の下方にはスペーサ部材３３が配置され、支持面３０間の穴３１は、スペーサ部材３３の隆起平面３９Ａが位置することで閉塞されて支持面３０と隆起平面３９Ａが横一連に連なるように構成されている。【選択図】図５
2007202609.tif 000002
【特許請求の範囲】
【請求項１】
平面位置を部分的に落ち込ませて略同一平面内に断続的な支持面を設け、これら支持面上に帯状の見出し用紙を支持可能に設ける一方、各支持面間の上部に位置して前記見出し用紙の差し込みを許容するとともに当該見出し用紙を複数の領域に区分する仕切部を設けた見出し用紙の収納構造において、
前記各支持面を面一に連続させるスペーサ部材を配置したことを特徴とする見出し用紙の収納構造。
【請求項２】
ケース本体内に収容されるとともに複数のキー保持用具が配列されるインナーケースに、キーの属性を示す見出し用紙を収納して見出し表示部を構成するキー管理ケースにおいて、
前記見出し表示部は、平面位置を部分的に落ち込ませて略同一平面内で帯状の見出し用紙を支持する断続的な支持面と、各支持面間の上部に位置して前記見出し用紙の差し込みを許容するとともに当該見出し用紙を複数の領域に区分する仕切部とを含み、
前記ケース本体とインナーケースとの間にスペーサ部材を配置するとともに、当該スペーサ部材の一部が前記支持面間に位置して各支持面を面一に連続させることを特徴とするキー管理ケース。
【請求項３】
前記支持面の下面側には、一部が前記インナーケースから表出する状態でキー保持用具が配置され、当該キー保持用具は、前記支持面とスペーサとの間に挟み込まれて取り付け位置が固定されることを特徴とする請求項２記載のキー管理ケース。
【請求項４】
前記支持面の下面には、前記キー保持用具の位置決め部材が設けられていることを特徴とする請求項２又は３記載のキー管理ケース。
【発明の詳細な説明】
【技術分野】
【０００１】
本発明は見出し用紙の収納構造及びキー管理ケースに係り、更に詳しくは、複数の区分に仕切られた見出し表示部に、帯状の見出し用紙が各見出し表示部を跨ぐように差し込みできる見出し用紙の収納構造と、当該構造を備えたキー管理ケースに関する。
【背景技術】
【０００２】
従来より、オフィス等においては、多数のキーを集中管理するために、ボックス形状を備えたキー管理ケースが利用されている。このキー管理ケースは、ケース内に多数のキー保持用具が装備されており、個々のキー保持用具の位置に対応して見出し用紙を配置し、当該見出し用紙に各キーの属性を表示することが行われている。
【０００３】
このようなキー管理ケースにおける見出し表示構造としては、例えば、特許文献１に開示されように、キーを引っ掛けるためのフック取付溝に沿って支持面を設けるとともに、この支持面に見出し表示用紙が配置される構成が知られている。また、その他の見出し表示構造としては、図１０に示される構成が知られている。同図において、キーＫを保持するキー保持用具１００に対応する隣接位置に見出し表示部１０１が設けられている。この見出し表示部１０１は、図１１（Ａ）に示されるように、帯状の見出し用紙Ｐ及び当該見出し用紙Ｐのカバー片１０３を支持するように同一平面内で断続的に配置された支持面１０４と、これら支持面１０４間の上部位置に配置されて各見出し用紙Ｐを複数の領域に区分するとともに、当該見出し用紙Ｐの浮き上がりを規制する仕切部１０５とを備えた構成となっている。
このような見出し表示部１０１には、キー保持用具１００に保持されたキーＫの属性を見出し用紙Ｐに記載することで、キーＫが何れのキーであるかが正確に管理されることとなる。
【０００４】
【特許文献１】実開昭６４−７８７４号公報
【発明の開示】
【発明が解決しようとする課題】
【０００５】
しかしながら、特許文献１に記載された見出し表示構造は、支持面が一連に連なる構成であるため、帯状の見出し表示用紙を用いた場合に、見出し表示用紙の仕切が存在しない構成となる。また、図１０に示された構成におけるキー管理ケースは、樹脂成形により構成部品毎に型による成形を行うものであるため、前述した仕切部１０５を設ける場合には、成形品の型抜きを実現するために、支持面１０４間に穴１０７を形成して支持面１０４を断続的なものとしなければならない、という制約がある。
【０００６】
従って、図１１（Ｂ）に示されるように、帯状の見出し用紙Ｐを一端側から差し込むときに、その先端側が支持面１０４間の穴１０７を通じて下方に差し込まれてしまい、各支持面１０４の上面に平行に沿うように差し込むことが難しくなる、という不都合がある。
【０００７】
［発明の目的］
本発明は、このような不都合に着目して案出されたものであり、その目的は、成形上の制約があっても、帯状の見出し用紙をスムースに差し込むことができる見出し収納構造及び当該構造を備えたキー管理ケースを提供することにある。
【０００８】
本発明の他の目的は、見出し収納構造を構成する一部を利用してキー保持用具の取り付けを安定して行うことのできるキー管理ケースを提供することにある。
【課題を解決するための手段】
【０００９】
前記目的を達成するため、本発明は、平面位置を部分的に落ち込ませて略同一平面内に断続的な支持面を設け、これら支持面上に帯状の見出し用紙を支持可能に設ける一方、各支持面間の上部に位置して前記見出し用紙の差し込みを許容するとともに当該見出し用紙を複数の領域に区分する仕切部を設けた見出し用紙の収納構造において、
前記各支持面を面一に連続させるスペーサ部材を配置する、という構成を採っている。
【００１０】
また、本発明は、ケース本体内に収容されるとともに複数のキー保持用具が配列されるインナーケースに、キーの属性を示す見出し用紙を収納して見出し表示部を構成するキー管理ケースにおいて、
前記見出し表示部は、平面位置を部分的に落ち込ませて略同一平面内で帯状の見出し用紙を支持する断続的な支持面と、各支持面間の上部に位置して前記見出し用紙の差し込みを許容するとともに当該見出し用紙を複数の領域に区分する仕切部とを含み、
前記ケース本体とインナーケースとの間にスペーサ部材を配置するとともに、当該スペーサ部材の一部が前記支持面間に位置して各支持面を面一に連続させる、という構成を採っている。
【００１１】
前記キー管理ケースにおいて、前記支持面の下面側には、一部が前記インナーケースから表出する状態でキー保持用具が配置され、当該キー保持用具は、前記支持面とスペーサとの間に挟み込まれて取り付け位置が固定される、という構成を採ることが好ましい。
【００１２】
また、前記支持面の下面に前記キー保持用具の位置決め部材を設けるとよい。
【発明の効果】
【００１３】
本発明によれば、断続的な支持面間に配置されるスペーサ部材により、各支持面が面一に連なるようになり、従って、帯状の見出し用紙を差し込む際に、当該見出し用紙が直線上に案内されてスムースなる差し込みを行うことができる。
また、前記支持面とスペーサとの間にキー保持用具を挟み込むキー管理ケースにおいては、キー保持用具の取り付け位置を安定して固定することができる。
更に、支持面の下面に位置決め部材を設けた構成により、キー保持用具の取り付け位置を容易に決定することができ、キー管理ケースの組み立て容易化を図ることが可能となる。
【発明を実施するための最良の形態】
【００１４】
以下、本発明における好ましい実施形態を図面を参照しながら説明する。
図１には、本実施形態に係るキー管理ケースの一部を破断した概略斜視図が示されている。この図において、キー管理ケース１０は、ケース本体１１と、当該ケース本体１１を開閉する蓋体１２と、前記ケース本体１１内に収容されたインナーケース１３と、ケース本体１１とインナーケース１３との間に配置されたキー保持用具１５とを備えて構成されている。
【００１５】
前記ケース本体１１及び蓋体１２は、それぞれ平面視略方形の皿状をなし、相互の開放側が合わされるようにヒンジ１６を介して連結されている。蓋体１２において、前記ヒンジ１６の反対側の端部中央には留め具１７が回転可能に連結されており、当該留め具１７をケース本体１１側に引っ掛けることにより閉塞状態が保たれるようになっている。
【００１６】
前記インナーケース１３は、図２及び図３に示されるように、後述するスペーサ部材を介してケース本体１１との間にキー保持用具１５を支持するとともに、当該キー保持用具１５に保持されたキーＫの受け面として作用するようになっている。このインナーケース１３は、キー受け面を形成する下平面部２０と、当該下平面部２０に段部２１を介して連なる上平面部２２とを備えた形状に設けられている。これら下平面部２０、段部２１及び上平面部２２は、図２に示されるように、上下二段に配置されており、これにより、キーＫの収容列が上下二列となるように構成されている。また、下平面部２０上には、図３に示されるように、キーＫが隣接するキーとの絡み付き等を規制する規制部材２４が所定間隔毎に形成されている。
【００１７】
前記下平面部２０、段部２１及び上平面部２２に跨る領域には、複数のスロット穴２５が形成されており、当該スロット穴２５内に、キー保持用具１５の一部が表出するようになっている。また、上平面部２２において、各スロット穴２５毎に対応して複数の見出し表示部２６が設けられ、これら見出し表示部２６には、図３に示されるように、キーＫの属性、すなわち、何れのキーであるかどうかを示す見出し用紙Ｐと、当該見出し用紙Ｐ上に位置する透明なカバー２８が収納される。見出し用紙Ｐ及びカバー２８は、各収納部２６に連続して跨る長さとなる細長い片状のものが採用されている。
【００１８】
前記見出し表示部２６は、図４及び図５に示されるように、上平面部２２の面位置を部分的に落ち込ませて略同一平面内で図４中左右方向に沿って断続的に設けられた複数の支持面３０と、これら支持面３０間における穴３１の上方に位置するとともに、前記上平面部２２と同一平面位置で支持面３０上に支持される見出し用紙Ｐを複数の領域に区分する仕切部３２とを含む。このように仕切部３２の下面側において、各支持面３０間に穴３１が形成されるのは、インナーケース１３を樹脂材により一体成形する際の型抜きを行うためのものである。従って、細長い片状の見出し用紙Ｐを各支持面３０に跨るように仕切部３２の下面側を通過するように差し込むときに、従来例で示した不都合を生じ得るため、本実施形態では、穴３１を埋めるためのスペーサ部材３３が見出し表示部２６の下部に配置されるようになっている。
【００１９】
なお、前記支持面３０の下面側には、キー保持用具１５の位置決め部材としての突状部３０Ａが形成されている。この突状部３０Ａは、図６及び図７に示されるように、略格子状に設けられた複数の片部材により構成されている。
【００２０】
前記スペーサ部材３３は、図３及び図５〜図７に示されるように、インナーケース１３の左右方向に延びる細長い成形品により構成されている。このスペーサ部材３３は、ケース本体１１の内面上で起立姿勢となる複数の脚部３５と、これら脚部３５の上端に位置する平面３７と、この平面３７から階段状に立ち上がる低隆起部３８及び高隆起部３９とを含む。高隆起部３９は、隆起平面３９Ａと、図７中紙面直交方向に沿う両側に設けられた爪状の突出部３９Ｂを備えた形状に設けられている。また、スペーサ部材３３の短寸幅方向一端側、すなわち、低隆起部３９Ｂ側には、キー保持用具１５との位置的な干渉を避けるための凹部４０が所定間隔毎に形成されている。
【００２１】
前記キー保持用具１５は、インナーケース１３における上平面部２２の裏面側に配置され、前記スペーサ部材３３を介して支持されるようになっている。このキー保持用具１５は、図８及び図９に示されるように、前記支持面３０の裏面側に形成された突状部３０Ａ回りに嵌合するベース部４３と、このベース部４３に連設されて一端が固定端とされるとともに他端が自由端として設けられ、且つ、相互に所定間隔を隔てて配置された一対の保持体４５，４５と、各保持体４５の自由端側相対部分から他方の保持体に向かって突出する凸部４６，４６とを備えて構成されている
【００２２】
前記ベース部４３は、平面視略長楕円形状を有する底面部５０と、当該底面部５０の周縁に連設された周面部５１とからなり、底面部５０の反対側が開放する形状に設けられている。前記保持体４５，４５は、周面部５１における一方の長辺側から、当該長辺に略直交する方向に突出するように連設されており、その基端（図８中上端）が固定端とされる一方、先端（同図中下端）が自由端として形成されている。なお、キー保持用具１５は、本出願人によって出願された特願２００５−３２５５３２号と同一であり、従って、前記凸部４６の詳細形状については説明を省略する。
【００２３】
前記キー保持用具１５は、前記スペーサ部材３３を介してケース本体１１とインナーケース１３との間に装着されたときに一部が表出する状態となる。すなわち、キー保持用具１５がインナーケース１３における上平面部２２の裏面側に配置されたときに、各凸部４６，４６がスロット穴２５内に表出するように設けられ、当該スロット穴２５を通じてキーＫが保持可能となっている。
【００２４】
キー保持用具１５を装着するときは、図７に示されるように、ベース部４３の開放側を支持面３０の下面側に形成された突状部３０Ａに向けて当該突状部３０Ａに嵌合させ、これにより、キー保持用具１５が位置決めされる。そして、スペーサ部材３３をインナーケース１３の上平面部２２の下面側に配置し、キー保持用具１５のベース部４３を支持面３０とスペーサ部材３３の平面３７との間に挟み込む。
【００２５】
このようにしてスペーサ部材３３をインナーケース１３に装着した状態では、前記高隆起部３９の隆起平面３９Ａで各支持面３０間の穴３１が埋められ、これら隆起平面３９Ａと支持面３０とが略同一平面上で横一連に連なることとなる。そして、左右方向に断続的に位置する見出し表示部２６の左右何れかの一端側から帯状の見出し用紙Ｐを差し込む。この差し込みに際しては、前記隆起平面３９Ａの存在により、穴３１が閉塞されるので、仕切部３２の下面を通過させながらスムースに行うことができ、その後に、同様の要領でカバー２８を差し込めばよい。これにより、左右方向に沿って、各キー保持部材１３に保持されるキーＫに関連した属性を表示可能な見出し表示部２８が形成される。
【００２６】
キーＫは、図３に示されるように、その通し穴Ｋ１にキーホルダーとして作用を有する環状ホルダー６０が挿通されており、当該環状ホルダー６０がキー保持用具１５に保持されることで、キーＫがインナーケース１３の下平面部２０上に位置するようになっている。環状ホルダー６０をキー保持用具１５に保持させる場合には、環状ホルダー６０をインナーケース１３の段部２１に相対させ、この位置からスロット２５に向かって環状ホルダー６０を押し込むようにすればよい。これにより、環状ホルダー６０は、各凸部４６の下部傾斜面に案内されながら中央に位置し、更に押し込む力を付与すると、各凸部４６,４６の突き合わせ面間が開くように一対の保持体４５の自由端側が相対的に離れる方向に弾性変形する。そして、環状ホルダー６０が凸部４６の先端を通過したときに、各保持体４５が初期位置に弾性復帰し、前記突き合わせ面が相互に突き合って閉塞し、これにより、環状ホルダー６０ひいてはキーＫがキー保持用具１５に保持されることとなる。なお、キーＫを外すときは、環状ホルダー６０を操作する者が手前側に引っ張るか、図８中上方に押し上げながら手前側に引っ張って抜き出すことができる。
【００２７】
従って、このような実施形態によれば、成形上の制約で、支持面３０間に穴３１が形成されるものであっても、当該穴３１にスペーサ部材３３の隆起平面３９Ａ穴が位置するように設けられているため、見出し用紙Ｐを差し込む作業を極めて容易且つ迅速に行うことができる、という効果を得る。
【００２８】
本発明を実施するための最良の構成、方法などは、以上の記載で開示されているが、本発明は、これに限定されるものではない。
すなわち、本発明は、主に特定の実施の形態に関して特に図示し、且つ、説明されているが、本発明の技術的思想及び目的の範囲から逸脱することなく、以上に述べた実施の形態に対し、形状、位置、その他の詳細な構成において、当業者が様々な変形を加えることができるものである。
従って、上記に開示した形状、位置などを限定した記載は、本発明の理解を容易にするために例示的に記載したものであり、本発明を限定するものではないから、それらの形状などの限定の一部若しくは全部の限定を外した物品の名称での記載は、本発明に含まれるものである。
【００２９】
例えば、前記実施形態では、見出し用紙の収納構造がキー管理ケースに適用された場合を図示、説明したが、本発明は、これに限定されるものではなく、複数区分の見出し表示部に跨って帯状の見出し用紙を差し込むように構成されたその他のケース等に適用することができる。
【図面の簡単な説明】
【００３０】
【図１】本実施形態に係るキー管理ケースの概略斜視図。
【図２】インナーケースの概略平面図。
【図３】図１のＡ−Ａ線に沿う要部矢視拡大断面図。
【図４】見出し表示部を示す要部概略斜視図。
【図５】図４の分解斜視図。
【図６】図４のＢ−Ｂ線に沿う矢視拡大断面図。
【図７】図６の分解断面図。
【図８】キー保持用具の正面図。
【図９】図８のＣ−Ｃ線矢視断面図。
【図１０】従来例を示す要部概略斜視図。
【図１１】（Ａ）は図１０のＤ−Ｄ線矢視断面図、（Ｂ）は、従来例の不都合を説明するための概略断面図。
【符号の説明】
【００３１】
１０  キー管理ケース
１１  ケース本体
１３  インナーケース
１５  キー保持用具
２６  見出し表示部
３０  支持面
３０Ａ  突状部（位置決め部材）
３２  仕切部
３３  スペーサ部材
Ｋ  キー
Ｐ  見出し用紙
【図１】
2007202609.tif 000003
【図２】
2007202609.tif 000004
【図３】
2007202609.tif 000005
【図４】
2007202609.tif 000006
【図５】
2007202609.tif 000007
【図６】
2007202609.tif 000008
【図７】
2007202609.tif 000009
【図８】
2007202609.tif 000010
【図９】
2007202609.tif 000011
【図１０】
2007202609.tif 000012
【図１１】
2007202609.tif 000013